(57)【要約】【目的】  低学年で体格が小さく、又、コンセントの数を多くは必要としない時期は、照明装置のスイッチが着座姿勢の手元に近い位置にあり、高学年で、体格が大きくなり、照明装置のスイッチが直接操作でき、パソコン等をよく使用する時期からは、天板の後端側に位置して取付けられ、多数のコンセントが正面側から使用できるだけでなく、机上を広く使用できる学習机のコンセント装置を提供する。【構成】  学習机の天板に着脱自在に取付けられる固定部材と、固定部材に取付自在なコンセントボックスからなり、コンセントボックスは、長手方向側が天板の奥行き方向に沿った縦長使用状態と、長手方向側が天板の巾方向に沿った横長使用状態が選択可能に固定部材に保持され、コンセントボックスの長手方向には少なくとも２個以上のコンセントが設けられ、縦長使用状態で、学習机の使用者側の端部に照明スイッチが設けられているものである。【選択図】    図５
2007020700.tif 000002
【特許請求の範囲】
【請求項１】
学習机の天板に着脱自在に取付けられる固定部材と、固定部材に取付自在なコンセントボックスからなり、コンセントボックスは、長手方向側が天板の奥行き方向に沿った縦長使用状態と、長手方向側が天板の巾方向に沿った横長使用状態が選択可能に固定部材に保持され、コンセントボックスの長手方向には少なくとも２個以上のコンセントが設けられ、縦長使用状態で、学習机の使用者側の端部に照明スイッチが設けられていることを特徴とする学習机のコンセント装置。
【請求項２】
コンセントボックスは、縦長使用状態と横長使用状態が選択可能なよう固定部材に回動自在に保持されていることを特徴とする請求項１に記載の学習机のコンセント装置。
【請求項３】
コンセントボックスは、縦長使用状態と横長使用状態が維持される回動不能な状態と、縦長使用状態から横長使用状態に、あるいは、横長使用状態から縦長使用状態に回動可能な状態が選択可能なロック手段を有することを特徴とする請求項２に記載の学習机のコンセント装置。
【発明の詳細な説明】
【技術分野】
【０００１】
本発明は、学習机のコンセント装置に関し、天板に取付けた状態のコンセント装置の位置を前後方向で調節自在としたものに関する。
【背景技術】
【０００２】
従来、例えば、学習机やＯＡデスク等においては、天板上にコンセント装置を取付けている。
このコンセント装置は、天板の後端に取付ける構成となっているため、使用者からコンセント装置までの距離が遠いので、特に、児童の場合は着席した状態では手が届かず、非常に使い勝手の悪いものとなっていた。
この問題を解決するため、学習机等の天板の後端に着脱自在に固着される固定部材と、固定部材に取付自在なコンセントボックスから成り、前記固定部材とコンセントボックスの相互間に、前記天板の前後方向に関してコンセントボックスの取付固定位置を変更可能とする位置調整手段をもうけ、体格が小さい低学年の間は、コンセント装置を天板の後端前側位置に取付固定して使用し、体格が大きくなった高学年では、コンセント装置を天板の後端位置に取付固定して使用することにより、使い勝手の良い位置で使用できるコンセント装置が提供されている。（例えば、特許文献１参照。）
【０００３】
一方、近年、机上でパソコンを使用する機会が高学年において急速に増える傾向にある。  この場合、パソコン周辺機器を含めると、コンセント装置のコンセントが多数必要となるばかりでなく、正面側からの使用勝手もよくなければならない。
しかしながら、前記コンセント装置に予め多数のコンセントを使用しやすい正面側に設けると、コンセント装置の巾寸法が大きくなるという問題があった。
また、学習机の場合、照明装置は、点滅スイッチと一体とされ、天板の後端に設けた書棚に取付けられたものが多かった。すなわち、照明装置のスイッチが使用者から離れた所に設けられたものが多かった。このため、体格が小さい低学年の児童は、立ち上がっても照明装置の点滅スイッチに手先が届かず、自分では容易に点滅操作できないという問題があった。
この問題に対応して、照明装置の点滅操作は照明装置の電源コードが差し込まれるコンセントのＯＮ／ＯＦＦにより操作するようにして、そのＯＮ／ＯＦＦスイッチを前記コンセント装置に設けると共に、コンセント装置をできるだけ使用者側に近い天板上に配置することが採られ得るが、前記した問題点を持つ巾寸法の大きいコンセント装置が天板上の一部を実質的に占有してしまうことになり、かえって邪魔になるという問題があった。
【０００４】
【特許文献１】特開平１１−６７３７３号公報（図３）
【発明の開示】
【発明が解決しようとする課題】
【０００５】
本発明は、低学年で、体格が小さく、又、パソコン等を使用する事もなく、コンセントの数を必要としない時期は、照明装置の点滅操作の為のスイッチが着座姿勢の手元に近い位置にあり、高学年で、体格が大きくなり、照明装置の点滅スイッチを直接操作でき、パソコン等を使用する機会が多い時期からは、天板の後端側に位置して取付けられ、多数のコンセントが正面側から使用できだけでなく、机上を広く使用できる学習机のコンセント装置を提供することを課題とする。
【課題を解決するための手段】
【０００６】
そこで、上記課題を解決する為、本発明が第１の手段として構成したところは、学習机の天板に着脱自在に取付けられる固定部材と、固定部材に取付自在なコンセントボックスからなり、コンセントボックスは、長手方向側が天板の奥行き方向に沿った縦長使用状態と、長手方向側が天板の巾方向に沿った横長使用状態が選択可能に固定部材に保持され、コンセントボックスの長手方向には少なくとも２個以上のコンセントが設けられ、縦長使用状態で、学習机の使用者側の端部に照明スイッチが設けられているものである。
【０００７】
次に、本発明が第２の手段として構成したところは、上記構成において、コンセントボックスは、縦長使用状態と横長使用状態が選択可能なよう固定部材に回動自在に保持されているものである。
【０００８】
次に、本発明が第３の手段として構成したところは、上記構成において、コンセントボックスは、縦長使用状態と横長使用状態が維持される回動不能な状態と、縦長使用状態から横長使用状態に、あるいは、横長使用状態から縦長使用状態に回動可能な状態が選択可能なロック手段を有するものである。
【発明の効果】
【０００９】
請求項１に記載の発明によると、コンセントボックスは、長手方向側が天板の奥行き方向に沿った縦長使用状態と、長手方向側が天板の巾方向に沿った横長使用状態が選択可能に固定部材に設けられているので、使用者が低学年で体格が小さい間は、縦長使用状態として、照明スイッチを近接する位置で使用することにより、着席姿勢であってもコンセント装置の照明スイッチに手が届き易く、使い勝手がよい。
又、使用者が高学年で体格が大きくなり、パソコン等の使用する必要が生じると、長手方向側を天板の巾方向に沿った横長使用状態とする事により、机上を広く、広範囲で使用することが可能となる。
この時、コンセント装置の照明スイッチは縦長使用状態の時より、使用者から離れた位置に遠ざかるが、体格が大きくなっており、照明装置に設けたスイッチを直接操作できるので、特に支障はない。
さらに、横長使用状態で、コンセントボックスに設けられた複数個のコンセントが使用者の正面側に位置するので、机上でパソコン等を使用するとき、その周辺機器の電源コンセントも正面側で確保出来、非常に使いやすくなる。
【００１０】
請求項２に記載の発明によると、前記効果に加え、コンセントボックスは、固定部材に回動自在に設けられているので、使用者の体格の大小に係らず、また、天板上でのパソコン等の使用状況により、縦長使用状態と横長使用状態とを簡単かつ即座に切り替えることが出来、使い勝手が良くなる。
【００１１】
請求項３に記載の発明によると、前記効果に加え、コンセントボックスは、縦長使用状態と横長使用状態が維持される回動不能な状態と、縦長使用状態から横長使用状態に、あるいは、横長使用状態から縦長使用状態に回動可能な状態が選択可能なロック手段をしているので、使用中に不用意に回動することがなく、コンセントに対するコードの抜き差し、あるいは、照明の点滅操作が確実に行なえ、パソコンの使用中に電源コードがコンセントから脱落することがなく、作業に支障をきたす事もない。
【発明を実施するための最良の形態】
【００１２】
本発明は、デスクの天板に着脱自在に取付けられる固定部材と、固定部材に取付自在なコンセントボックスからなり、コンセントボックスは、長手方向側が天板の奥行き方向に沿った縦長使用状態と、長手方向側が天板の巾方向に沿った横長使用状態が選択可能なよう固定部材に回動自在に設けられ、縦長使用状態で、デスクの使用者側に最も近接する位置に照明スイッチが設けられ、横長使用状態で複数個のコンセントがデスクの使用者側に位置し、縦長使用状態と横長使用状態が維持される回動不能な状態と、縦長使用状態から横長使用状態に、あるいは、横長使用状態から縦長使用状態に回動可能な状態が選択可能なロック手段を有するものである。
【実施例】
【００１３】
以下図面に基づいて本発明の実施形態を詳述する。
図１において、符号１０は机本体を示し、符号１は机本体１０に着脱自在に取付けられた書棚を示し、符号３は書棚１に取付けられた照明装置を示し、符号５は、机本体１０の天板１００に取付けられた本発明のコンセント装置を示し、符号１０１は前記机本体１０、書棚１、照明装置３、コンセント装置５からなる学習机を示している。
【００１４】
書棚１は、左右に所定間隔を有して立設された左右側板１１、１１と、左右側板１１、１１の後端間に、上下に所定間隔を有して配設された２枚の上下後板１２、１３と、左右側板１１、１１の後部下端部間と、下後板１３の下部前面間に配設された補強用継ぎ板１４と、上下後板１２、１３間で左右に移動自在に保持された２つの本立て２、２と、本立て２、２間に着脱自在に配設された自在棚板４より構成されている。
【００１５】
そして、下後板１３は下端面中央部に、半円形のコード導入用切欠き１３０が形成され、コード導入用切欠き１３０の巾方向に、コンセント装置５を天板１００の巾方向で取付け位置が自由に選択できるよう、所定高さの取付用切欠き１３１が形成されている。
照明装置３は、支柱３１と灯具３２より構成され、支柱３１は、連結ネジにて上後板１２の中央部前面に連結されている。
符号３３は、照明装置３の点滅スイッチを示し、照明装置３の電源はコンセント装置５からとられている。
【００１６】
すなわち、体格の小さい児童（小学校低学年の児童）が椅子に着席した状態では、照明装置３の点滅スイッチ３３に手先が届かないので、コンセント装置移動用切欠き１３１を利用して、コンセント装置５を最も手近な位置に設置し、コンセント装置５を利用して照明装置３の点滅を行なうようにしている。
符号３０は、上下後板１２、１３の中央部裏面と上下端部が連結された後板補強材を示し、実施例では本立て２、２の左右方向へのスライドを妨げない構成で、書棚１を机本体１０から取外して、照明装置３を机上面で単独で使用する際には、支柱３１の下端に連結されて照明装置３を机上面に立設させる連結用支柱として転用可能である。
【００１７】
本立て２、２は同じ構成であるので一方側についてのみ説明する。
本立て２は左右に所定間隔を有して立設された本立て用左右側板２１、２１と、本立て用左右側板２１、２１の上下方向略中間部間に配設された本立て用棚板２２と、本立て用
棚板２２の下面に配設された小引出し２３より構成されている。
そして、本立て２の左右幅は、本棚１の左右幅の３分の１程度の大きさで、図１に示すように、左右端部側にそれぞれ本立て２、２をよせた状態で、本立て２、２間に自在棚板４が取付けられて使用される場合や、本立て２、２を左右何れか一方側によせて、書棚１の側板１１と本立て用側板２１間に自在棚板４が取付けられて使用される場合や、さらに書棚１から本立て２、２を取外して使用する場合等、パソコン等の使用位置、液晶モニターの大きさ等によって本立て２、２の位置、コンセント装置５の位置等は適宜選択される。
【００１８】
コンセント装置５は、机本体１０の天板１００に着脱自在に固着される固定部材６と、該固定部材６に取付自在なコンセントボックス７と、前記固定部材６とコンセントボックス７の相互間に、コンセントボックス７を固定部材６に回動自在に保持するための回動手段８と、回動可能な状態と、回動不能な状態を選択可能にするロック手段９より構成されている。
【００１９】
固定部材６は、金属板を折曲成形することにより、天板１００に締着される断面ほぼコ字形のクランプ部６１と、前記コンセントボックス７を取付支持するブラケット部６２とを一体に備え、クランプ部６１とブラケット部６２の間に形成された連設部６３をクランプ部６１から上向きに突出するよう折曲することにより、ブラケット部６２をクランプ部６１よりも上方に偏位せしめている。
符号６２０は、コンセントボックス７を連結するための連結孔を示している。
【００２０】
クランプ部６１は、上片６１１の下面に固着されたゴム等の弾性材から成る摩擦板６１０を有し、下片６１２のネジ穴にクランプボルト６１３、６１３を螺入させており、書棚１が机本体１０に取付けられていない状態で、上下片６１１、６１２の間を天板１００後端面に外嵌した後、摘み６１４、６１４を介してクランプボルト６１３、６１３を螺進させることにより天板１００に締着せしめられた後、書棚１が取付けられ図４に示す状態となる。
【００２１】
この際、摩擦板６１０が天板１００の表面に圧着されて滑り止めを構成し、この状態で該摩擦板６１０の肉厚と連設部６３の上方への突出量を合わせた寸法だけ、ブラケット部６２が、天板１００の表面よりも上方に偏位せしめられ、ブラケット部６２の下面と天板１００の上面との間にマット挿入用空間が形成される。従って、図４に示したような机本体１０に電気コンセント装置５を取付けた実施形態とした場合でも、天板１００上に敷設すべきデスクマットの縁部を前記マット挿入用空間に挿入することができるので、納まりが良い。
尚、固定部材６の取付け位置を変える場合は、クランプボルト６１３、６１３を緩め、取付用切欠き１３１を利用して所望の位置に移動した後、再び、クランプボルト６１３、６１３を締め付ければよい。
一方、書棚１が取付けられた状態で、コンセント装置５を取外す場合は、書棚１を机本体１０より取外した後、取外す事となる。
【００２２】
前記コンセントボックス７は、長手方向と短手方向の比を略３対１となした長方形状の上部基板７１と、上部基板７１の周部に下方に突出して設けられた垂下壁７２よりなる、下面が開口する上部ユニット７３と、上部基板７１と対向した同形の下部基板７４と、下部基板７４の周部に上方に突出して設けられた突出周壁７５よりなる、上面が開口する下部ユニット７６と、コンセント装置５として機能上必要な電気系統より構成されている。
すなわち、上部ユニット７３と下部ユニット７６は、それぞれ対向する位置に電気系統を保持する電気系統保持部を有し、互いに連結された時に協働して電気系統を保持する。
【００２３】
実施例では、電気系統は、短手方向側の正面に設けられたスイッチ取付部５１０に取付けられる照明装置３の照明スイッチ５１と、短手方向側の背面に形成されたコード導出孔５００より導出されたコンセントボックス７の電源コード（図示せず。）と、一方の長手方向側に長手方向に所定間隔を有して形成された複数個のコンセント取付部５２０、５３０、５４０に取付けられる任意使用可能な複数個のコンセント５２、５３、５４と、他方の長手方向側後端部に形成された電源コンセント取付部５５０に設けられた、前記照明スイッチ５１によりＯＮ／ＯＦＦされる照明装置３の電源用コンセント５５と、長手方向側前端部に形成されたブレーカー取付部５６０に取付けられたブレーカー（図示せず。）等より構成されている。
符号５７０・・・は、下部ユニット７６の下方から螺合される連結ネジを介して、上部ユニット７３と下部ユニット７６を連結するための連結部を示している。
【００２４】
符号７６１は、下部ユニット７６の下部基板７４の長手方向の後端部側略３分の２程度の個所に形成された、上方に突出する円筒形の外筒部を示し、符号７６２は、外筒部７６１の下端部で、半径方向の外方に形成された下部保持段部を示し、符号７６３は外筒部７６１によって形成された下挿通孔を示している。
符号７３１は、上部ユニット７３と下部ユニット７６が連結された状態で、前記外筒部７６１の内側に位置する上内筒部を示し、符号７３２は上内筒部７３１の下端部で半径方向の外方に形成された上部保持段部を示し、符号７３３は上内筒部７３１によって形成された上挿通孔を示し、符号７３４・・・は、上内筒部７３１の下端部で、周方向に同等の間隔を有して４箇所にわたって（上内筒部７３１の中心から９０度づつの角度をもって）形成された係合凹部を示している。
【００２５】
そして、上記コンセントボックス７は、上部ユニット７３と下部ユニット７６が連結された状態で回動手段８によって、長手方向側が天板１００の奥行き方向に沿った縦長使用状態と、長手方向側が天板１００の巾方向に沿った横長使用状態とが選択可能に、固定部材６に保持されており、さらに、ロック手段９によって、縦長使用状態と横長使用状態とが維持される回動不能な状態と、縦長使用状態から横長使用状態に、あるいは、横長使用状態から縦長使用状態に回動可能な状態が選択可能となっている。
【００２６】
回動手段８は、上部ユニット７３及び下部ユニット７６の連結時に、同時に連結される上下嵌合部材８１、８２と、コンセントボックス７に組込まれた下嵌合部材８２と回動不能に連結され、最後に固定部材６のブラケット部６２に連結固定される連結個定座８３より構成され、ロック手段９は、上下嵌合部材８１、８２間で上下動自在に保持されるロック部材９１と、ロック部材９１を常に上方に押し上げるコイルバネ９２等より構成されている。
【００２７】
上嵌合部材８１は、上部ユニット７３の上部保持段部７３２に周部下面が載置される上蓋部８１１と、上蓋部８１１の下面周端部やや内側位置で、上挿通孔７３３内に突出する周方向に等間隔を有する３本の円柱状に形成された連結案内柱８１２・・・よりなり、上蓋部８１１の中心部には上下方向に貫通するロック手段操作孔８１３が形成されている。
下嵌合部材８２は、下部ユニット７６の下部保持段部７６２に周部上面が位置する下蓋部８２１と、前記連結案内柱８１２・・・の下端面が上端面に嵌入し、下方からネジ止め連結される連結用保持筒８２２・・・と、連結固定座８３と下方からネジ止め連結される連結柱部８２３・・・と、下嵌合部材８２の中心部に形成され、上端面で前記コイルバネ９２の下端部を保持すると共に、固定部材６と下方からネジ止め連結されるコイルバネ下保持部と８２４と、上部ユニット７３、下部ユニット７６、上嵌合部材８１、下嵌合部材８２の連結状態で、外筒部７６１の内面側に位置し、上内筒部７３１の下端面と、上端面との間に所定の間隙が形成される下内筒部８２５等より構成されている。
【００２８】
ロック部材９１は、上内筒部７３１よりやや小径の円盤状に形成された円形基板９１１と、円形基板９１１の中心部上面に形成された、前記上嵌合部材８１のロック手段操作孔８１３より上方に突出する操作突起９１２と、円形基板９１１の周端部側に円周方向に等間隔を有して形成され、前記上嵌合部材８１の連結案内柱８１２・・・が貫通する案内支持孔９１３・・・と、円形基板９１１周端部より外方に突出して形成された、前記上部ユニット７３の上内筒部７３１に形成された対向する（１８０度の角度で形成された２つの）係合凹部７３４、７３４に下方から係脱自在な係合突起９１４、９１４と、円形基板９１１の中心部上面に形成された、前記コイルバネ９２の上端部を保持するコイルバネ上保持部（図示せず。）より構成されている。
【００２９】
上部ユニット７３、下部ユニット７６、上下嵌合部材８１、８２、コイルバネ９２、ロック部材９１は上記の如く構成され、まずコンセントボックス７を組立てた後、回動手段８、ロック手段９が取付けられる。
すなわち、まず、上部ユニット７３、下部ユニット７６間の所定の個所に、コンセント５２、５３、５４、照明スイッチ５１、電源用コンセント５５、電源コード５０等の電気系統を配設し、連結ネジを下方より連結部５７０・・・を挿通して下部ユニット７６と上部ユニット７３をネジ止め連結してコンセントボックス７を構成する。
【００３０】
次に、上下挿通孔７３３、７６３の下方より、ロック部材９１を嵌入させ、上挿通孔７３３の上方より、上嵌合部材８１を嵌入させ、連結案内柱８１２・・・をロック部材の９１の案内支持孔９１３・・・に挿通させ、同時に操作用突起９１２をロック手段操作孔８１３の下方より嵌入突出させる。この状態を保持しながら上下反転させて、コイルバネ９２の端部をコイルバネ上保持部（図示せず。）に保持させ、下嵌合部材８２を下挿通孔７６２に嵌合させ、ロック部材９１を貫通する連結案内柱８１２・・・の端部と連結用保持筒８２２・・・をネジ止め連結する。
【００３１】
この状態で、コンセントボックス７の外筒部７６１の内側に下嵌合部材８２の下内筒部８２５が内接し、上下嵌合部材８１、８２が連結されて、それぞれの上下蓋部８１１、８２１の終端部内面側が、上下部保持板部７３２、７６２に位置するので、下内筒部８２５が、コンセントボックス７が回動する時の中心軸となる。
【００３２】
一方、ロック部材９１の係合突起９１４、９１４が、上内筒部７３１の係合凹部７３４、７３４にコイルバネ９２の弾性によって下方から係合すると、コンセントボックス７（係合凹部７３４と一体の上部ユニット７３、上部ユニット７３と連結された下部ユニット７６）とロック部材９１は回動不能状態となり、ロック部材９１の案内支持孔９１３・・・に上嵌合部材８１と一体の連結案内柱８１２・・・が貫通しているので、上部嵌合部材８１はロック部材に対し回動不能状態であり、さらに上部嵌合部材８１の連結案内柱８１２・・・は下嵌合部材８２と一体の連結用保持筒８２２・・・と連結されているので、
コンセントボックス７と下嵌合部材８２と一体の下内筒部８２５（ロック部材９１、上部嵌合部材８１、下嵌合部材８２）が回動不能状態となる。
【００３３】
他方、上嵌合部材８１のロック手段操作孔８１３に臨むロック部材９１と一体の操作突起９１２が指先で内方に押し込まれる事により、コイルバネ９２の弾性に抗してロック部材９１が下方に移動し、係合突起９１４、９１４が係合凹部７３４、７３４から脱出し、コンセントボックス７と下嵌合部材８２と一体の下内筒部８２５（ロック部材９１、上部嵌合部材８１、下嵌合部材８２）は回動可能状態となる。
この状態で、下内筒部８２５（ロック部材９１、上部嵌合部材８１、下嵌合部材８２）に対してコンセントボックス７を回動させて、下内筒部８２５の上端面と上内筒部７３１の下端面間に形成された所定の間隙内に、ロック部材９１の係合突起９１４、９１４を位置させた状態で指先を操作突起９１２からはなす。
【００３４】
そして、コイルバネ９２によって常に上方に押し上げられた係合突起９１４、９１４を上内筒部７３１の下端面に接触させた状態で、コンセントボックス７（上部ユニット７３と一体の上内筒部７３１）をさらに回動（実施例の場合９０度）させると、上内筒部７３１の下端面に形成された他の係合凹部７３４、７３４が係合突起９１４、９１４の上方に位置し、コイルバネ９２の弾性によって係合凹部７３４、７３４に係合突起９１４、９１４が係合し、コンセントボックスは９０度回動した状態で回動不能状態となる。
この時、係合凹部７３４、７３４に係合突起９１４、９１４が係合すると同時に、コンセントボックス７のブレーカー（図示せず。）が取付けられた長手側の端面が、前記連結固定座８３の一部に当接してコンセントボックス７のそれ以上の回動を防止する。
【００３５】
すなわち、連結固定座８３は、前記固定部材６のブラケット部６２が下方から嵌合する嵌合凹部８３２を下面に形成した連結基板８３１と、前記連結基板８３１に形成され、前記下嵌合部材８２のコイルバネ下保持部と８２４の下方に内嵌すると共に、ブラケット部６１の連結孔６２０を挿通する連結ネジにてコイルバネ下保持部８２４と連結される連結用突部８３３と、下嵌合部材８２の連結柱部８２３の下端部に嵌合し、連結ネジにて下嵌合部材８２と連結される連結用突部８３４・・・と、コンセントボックス７の縦長使用状態では連結基板８３１の電源用コンセント５５側の隅部に当接するよう上方に突出して連設されたストッパー突部８４より構成されている。
そして、ストッパー突部８４は、コンセントボックス７の縦長使用状態で、長手側の端面で電源用コンセント５５側に当接する縦長当接起立面８４１と、コンセントボックス７の横長使用状態で、長手側の端面でブレーカー（図示せず。）側に当接する横長当接起立面８４２を有している。
【００３６】
連結固定座８３は上記の如く構成され、コンセントボックス７と連結された下嵌合部材８２の連結柱部８２３・・・と連結用突部８３４・・・を連結ネジにて連結し、下嵌合部材８２の下面に連結された状態で、固定部材６のブラケット部６２を嵌合凹部８３２に嵌合し、ブラケット部６２の連結孔６２０を挿通する連結ネジにて連結用突部８３３、コイルバネ下保持部８２４が連結される。
【００３７】
すなわち、実施例では、回動手段８の回動支持軸となる上下嵌合部材８１、８２が連結固定座８３を介して固定部材６に回動不能に連結され、回動支持軸となる上下嵌合部材８１、８２にコンセントボックス７の外筒部７６１を外嵌する事により回動手段８を構成し、
ロック部材９１の係合突起９１４、９１４、コイルバネ９２、上内筒部７３１の係合凹部７３４、７３４にて縦長使用状態と横長使用状態が維持できるロック手段９を構成しているが、例えば、固定部材６に回動支持軸を立設し、この回動支持軸にコンセントボックスに形成した上下方向に貫通する回動用孔を回動自在に嵌合し、抜け止め処理を行なった後、コンセントボックスと固定部材を係脱自在に構成する等、本発明の要旨を逸脱しない範囲で適宜変更可能である。
さらに、コンセントボックスに複数の連結用螺孔を設けることにより、横長状態と縦長状態の何れの状態でも連結ネジにて固定部材に連結可能な構成とすることも本発明の要旨の範囲内である。
【図面の簡単な説明】
【００３８】
【図１】本発明のコンセント装置を具備した学習机の正面図
【図２】図１のＢ部拡大図
【図３】図１のＡ−Ａ線断面図
【図４】図３のＣ部拡大図
【図５】コンセント装置の分解斜視図
【図６】コンセント装置の縦長使用状態の平面図
【図７】コンセント装置の横長使用状態の平面図
【図８】コンセント装置の横長使用状態の図２に対応する正面図
【図９】コンセント装置の横長使用状態の図４に対応する断面図
【符号の説明】
【００３９】
１                書棚
１０              机本体
１００            天板
２                本立て
３                照明装置
５                コンセント装置
５１              照明スイッチ
５２、５３、５４  コンセント
６                固定部材
７                コンセントボックス
８                回動手段
９                ロック手段
９１              ロック部材
【図１】
2007020700.tif 000003
【図２】
2007020700.tif 000004
【図３】
2007020700.tif 000005
【図４】
2007020700.tif 000006
【図５】
2007020700.tif 000007
【図６】
2007020700.tif 000008
【図７】
2007020700.tif 000009
【図８】
2007020700.tif 000010
【図９】
2007020700.tif 000011